(57)【要約】【課題】  リンク元のＷｅｂサイトが識別できるパラメータを引き継ぎながらＷｅｂページや実行するプログラムを遷移させ、最終結果を表示させる際に、引き継がれたパラメータに基づいて、商品情報をデータベースから選出して提供する。【解決手段】  サイトＡ１〜Ａ３が、サイトＡ１〜Ａ３のパラメータを取得するサイト情報取得手段と、診断サイトとリンクすることによって、サイトＡ１〜Ａ３に対して、診断プログラムＣからの診断結果Ｄ１〜Ｄ３を取得する結果情報取得手段と、診断結果Ｄ１〜Ｄ３とパラメータとに基づいて、商品データベースＥを参照して商品情報を取得し、取得した商品情報をサイトＡ１〜Ａ３に対応したページＤ１−Ｆ１〜Ｄ３−Ｆ３に設定してサイトＡ１〜Ａ３に送信する個別Ｗｅｂページ送信手段とを備えている。【選択図】  図１
2006268798.tif 000002
【特許請求の範囲】
【請求項１】
複数のＷｅｂ(World-Wide Web)サイトが、それぞれの前記Ｗｅｂサイトに関するサイト情報を取得して、前記Ｗｅｂサイトに対して共通プログラムを実行する共通Ｗｅｂサイトとリンクし、前記サイト情報に基づいて個別の提供情報を設定した個別Ｗｅｂページを前記Ｗｅｂサイトに送信する個別Ｗｅｂページ送信システムであって、
前記共通Ｗｅｂサイトは、前記Ｗｅｂサイト毎に、それぞれの前記提供情報を登録したデータベースと、
前記Ｗｅｂサイトからのリンク要求を受け付けた際に、前記サイト情報を取得するためのサイト情報取得手段と、
前記共通プログラムが出力する結果情報を取得するための結果情報取得手段と、
前記結果情報と前記サイト情報とに基づいて、前記データベースを参照して該当する前記提供情報を取得し、該提供情報を前記Ｗｅｂサイトに対応した前記個別Ｗｅｂページに設定して前記Ｗｅｂサイトに送信するための個別Ｗｅｂページ送信手段とを備えてなることを特徴とする個別Ｗｅｂページ送信システム。
【請求項２】
前記共通プログラムは、複数の他の共通プログラムを含み、
前記共通プログラムに後続して実行する前記他の共通プログラムは、前記共通プログラムから前記サイト情報を引き継いで、該サイト情報に基づいて、実行を制御することを含むことを特徴とする請求項１に記載の個別Ｗｅｂページ送信システム。
【請求項３】
複数のＷｅｂサイトが、それぞれの前記Ｗｅｂサイトに関するサイト情報を取得して、前記Ｗｅｂサイトに対して共通プログラムを実行する共通Ｗｅｂサイトとリンクする個別Ｗｅｂページ送信システムに用いられ、前記サイト情報に基づいて個別の提供情報を設定した個別Ｗｅｂページを前記Ｗｅｂサイトに送信する個別Ｗｅｂページ送信方法であって、
予め、前記共通Ｗｅｂサイトのデータベースに、前記Ｗｅｂサイト毎のそれぞれの前記提供情報を登録するための登録ステップと、
前記Ｗｅｂサイトからのリンク要求を受け付けた際に、前記サイト情報を取得するためのサイト情報取得ステップと、
前記共通プログラムが出力する結果情報を取得するための結果情報取得ステップと、
前記結果情報と前記サイト情報とに基づいて、前記データベースを参照して該当する前記提供情報を取得し、該提供情報を前記Ｗｅｂサイトに対応した前記個別Ｗｅｂページに設定して前記Ｗｅｂサイトに送信するための個別Ｗｅｂページ送信ステップとを実行することを特徴とする個別Ｗｅｂページ送信方法。
【請求項４】
前記共通プログラムは、複数の他の共通プログラムを含み、
前記共通プログラムに後続して実行する前記他の共通プログラムは、前記共通プログラムから前記サイト情報を引き継いで、該サイト情報に基づいて、実行を制御することを含むことを特徴とする請求項３に記載の個別Ｗｅｂページ送信方法。
【請求項５】
複数のＷｅｂサイトとリンクする個別Ｗｅｂページ送信システムに用いられ、前記Ｗｅｂサイトが、それぞれの前記Ｗｅｂサイトに関するサイト情報を取得して、前記Ｗｅｂサイトに対して共通プログラムを実行し、前記サイト情報に基づいて個別の提供情報を設定した個別Ｗｅｂページを前記Ｗｅｂサイトに送信する共通Ｗｅｂサイトであって、
前記Ｗｅｂサイト毎に、それぞれの前記提供情報を登録したデータベースと、
前記Ｗｅｂサイトからのリンク要求を受け付けた際に、前記サイト情報を取得するためのサイト情報取得手段と、
前記共通プログラムが出力する結果情報を取得するための結果情報取得手段と、
前記結果情報と前記サイト情報とに基づいて、前記データベースを参照して該当する前記提供情報を取得し、該提供情報を前記Ｗｅｂサイトに対応した前記個別Ｗｅｂページに設定して前記Ｗｅｂサイトに送信するための個別Ｗｅｂページ送信手段とを備えてなることを特徴とする共通Ｗｅｂサイト。
【請求項６】
前記共通プログラムは、複数の他の共通プログラムを含み、
前記共通プログラムに後続して実行する前記他の共通プログラムは、前記共通プログラムから前記サイト情報を引き継いで、該サイト情報に基づいて、実行を制御することを含むことを特徴とする請求項５に記載の共通Ｗｅｂサイト。
【発明の詳細な説明】
【技術分野】
【０００１】
この発明は、個別Ｗｅｂページ送信システム及び該システムに用いられる個別Ｗｅｂページ送信方法、共通Ｗｅｂサイトに係り、詳しくは、複数のＷｅｂサイトが、それぞれの前記Ｗｅｂサイトに関するサイト情報を取得して、前記Ｗｅｂサイトに対して共通プログラムを実行する共通Ｗｅｂサイトとリンクし、前記サイト情報に基づいて個別の提供情報を設定した個別Ｗｅｂページを前記Ｗｅｂサイトに送信することを内容とする個別Ｗｅｂページ送信システム及び該システムに用いられる個別Ｗｅｂページ送信方法、共通Ｗｅｂサイトに関する。
【背景技術】
【０００２】
従来、インターネット等で提供されている、いくつかの情報から判断して結果を提示するような仕組み（プログラム・ロジック）を持った共通Ｗｅｂサイトは、どのＷｅｂサイトからリンクしても、共通の結果を提示する画一的な仕組みであった。
そのため、リンク元のＷｅｂサイトからのサイト情報等の情報を引き継ぎながらプログラムを遷移することで、結果の情報を提供する際に、リンク元の興味や希望に合わせた商品情報等をデータベースから選出し提供することができる仕組みが必要になっていた。
【０００３】
この種の従来技術としては、特許文献１乃至３等に記載のものが知られている。まず、特許文献１に記載の「情報提供装置、情報提供システム、及び情報提供方法」は、ユーザ端末からの参照情報に対する参照元の情報を管理することにより、リンク元の情報をリンク先に引き継ぐことができる構成となっている。
【０００４】
次に、特許文献２に記載の「サーバ、情報収集方法及びプログラム」は、コンテンツを提供するサイトと検索ロボットとの間に、検索ロボットからの要求とサイトからの応答を変換する変換プロシキを介在させることにより、検索ロボットによる情報収集の際に、端末装置の種類に応じて、個別の応答を返すサイトに対して、サイトが対応する端末装置の種類別のコンテンツに関する情報を取得することができる構成となっている。
【０００５】
次に、特許文献３に記載の「複数の関連サイトで情報提供を行うインターネット情報サービスシステム」は、複数の関連サイトで情報提供を行うシステムに於いて、主サイトから関連サイトへ接続する際に、リンク元サイト情報を関連サイトに受け渡すことにより、主サイトでのアクセスを許可された場合にのみ、関連サイトへのアクセスを認めることができる構成となっている。
【特許文献１】特開２００２−０４１３４９号公報（第１−１７頁）
【特許文献２】特開２００４−２５８９１１号公報（第１−２２頁）
【特許文献３】特開２００４−３１０７８６号公報（第１−１３頁）
【発明の開示】
【発明が解決しようとする課題】
【０００６】
ところで、特許文献１の構成にあっては、リンク元の情報をリンク先に引き継ぐ点が本発明と類似しているが、相互に関連付けられた２つのＷｅｂサイトに於いて、リンク元を把握することが目的である。
次に、特許文献２の構成にあっては、端末装置の種類別のコンテンツに関する情報を取得する点が本発明と類似しているが、端末装置にコンテンツのダウンロード等を行う際に、端末の能力に合ったダウンロード回数等の情報を取得することが目的である。
次に、特許文献３の構成にあっては、主サイトから関連サイトへ接続するとき、リンク元サイト情報を関連サイトに受け渡す点が本発明と類似しているが、主サイトを介さずに、関連サイトへのアクセスを防止することが目的である。
このように、特許文献１乃至３は、リンク元のＷｅｂサイトのサイト情報に基づいて、データベースから結果に合った個別の提供情報を選出して提供するものではなく、本発明の目的とは異なる。
【０００７】
この発明は、上述の事情に鑑みてなされたもので、インターネット等で提供される、いくつからの情報から判断して結果を提示するような仕組みを持ったＷｅｂサイトが、どのＷｅｂサイトからリンクしても、リンク元のＷｅｂサイトが識別できるようなサイト情報を付加し、その付加したサイト情報を引き継ぎながらＷｅｂページや実行するプログラムを遷移させ、最終的に結果を表示させる際に、引き継がれたサイト情報に基づいて、データベースから結果に合った個別の提供情報を抽出することで、リンク元のＷｅｂサイトに合わせた情報を選出して提供することを目的としている。
【課題を解決するための手段】
【０００８】
上記課題を解決するために、請求項１記載の発明は、複数のＷｅｂサイトが、それぞれの前記Ｗｅｂサイトに関するサイト情報を取得して、前記Ｗｅｂサイトに対して共通プログラムを実行する共通Ｗｅｂサイトとリンクし、前記サイト情報に基づいて個別の提供情報を設定した個別Ｗｅｂページを前記Ｗｅｂサイトに送信する個別Ｗｅｂページ送信システムに係り、
前記共通Ｗｅｂサイトは、前記Ｗｅｂサイト毎に、それぞれの前記提供情報を登録したデータベースと、前記Ｗｅｂサイトからのリンク要求を受け付けた際に、前記サイト情報を取得するためのサイト情報取得手段と、前記共通プログラムが出力する結果情報を取得するための結果情報取得手段と、前記結果情報と前記サイト情報とに基づいて、前記データベースを参照して該当する前記提供情報を取得し、該提供情報を前記Ｗｅｂサイトに対応した前記個別Ｗｅｂページに設定して前記Ｗｅｂサイトに送信するための個別Ｗｅｂページ送信手段とを備えてなることを特徴としている。
【０００９】
また、請求項２記載の発明は、請求項１記載の個別Ｗｅｂページ送信システムに係り、前記共通プログラムは、複数の他の共通プログラムを含み、前記共通プログラムに後続して実行する前記他の共通プログラムは、前記共通プログラムから前記サイト情報を引き継いで、該サイト情報に基づいて、実行を制御することを含むことを特徴としている。
【００１０】
また、請求項３記載の発明は、複数のＷｅｂサイトが、それぞれの前記Ｗｅｂサイトに関するサイト情報を取得して、前記Ｗｅｂサイトに対して共通プログラムを実行する共通Ｗｅｂサイトとリンクする個別Ｗｅｂページ送信システムに用いられ、前記サイト情報に基づいて個別の提供情報を設定した個別Ｗｅｂページを前記Ｗｅｂサイトに送信する個別Ｗｅｂページ送信方法に係り、
予め、前記共通Ｗｅｂサイトのデータベースに、前記Ｗｅｂサイト毎のそれぞれの前記提供情報を登録するための登録ステップと、前記Ｗｅｂサイトからのリンク要求を受け付けた際に、前記サイト情報を取得するためのサイト情報取得ステップと、前記共通プログラムが出力する結果情報を取得するための結果情報取得ステップと、前記結果情報と前記サイト情報とに基づいて、前記データベースを参照して該当する前記提供情報を取得し、該提供情報を前記Ｗｅｂサイトに対応した前記個別Ｗｅｂページに設定して前記Ｗｅｂサイトに送信するための個別Ｗｅｂページ送信ステップとを実行することを特徴としている。
【００１１】
また、請求項４記載の発明は、請求項３記載の個別Ｗｅｂページ送信方法に係り、前記共通プログラムは、複数の他の共通プログラムを含み、前記共通プログラムに後続して実行する前記他の共通プログラムは、前記共通プログラムから前記サイト情報を引き継いで、該サイト情報に基づいて、実行を制御することを含むことを特徴としている。
【００１２】
また、請求項５記載の発明は、複数のＷｅｂサイトとリンクする個別Ｗｅｂページ送信システムに用いられ、前記Ｗｅｂサイトが、それぞれの前記Ｗｅｂサイトに関するサイト情報を取得して、前記Ｗｅｂサイトに対して共通プログラムを実行し、前記サイト情報に基づいて個別の提供情報を設定した個別Ｗｅｂページを前記Ｗｅｂサイトに送信する共通Ｗｅｂサイトに係り、
前記Ｗｅｂサイト毎に、それぞれの前記提供情報を登録したデータベースと、前記Ｗｅｂサイトからのリンク要求を受け付けた際に、前記サイト情報を取得するためのサイト情報取得手段と、前記共通プログラムが出力する結果情報を取得するための結果情報取得手段と、前記結果情報と前記サイト情報とに基づいて、前記データベースを参照して該当する前記提供情報を取得し、該提供情報を前記Ｗｅｂサイトに対応した前記個別Ｗｅｂページに設定して前記Ｗｅｂサイトに送信するための個別Ｗｅｂページ送信手段とを備えてなることを特徴としている。
【００１３】
また、請求項６記載の発明は、請求項５記載の共通Ｗｅｂサイトに係り、前記共通プログラムは、複数の他の共通プログラムを含み、前記共通プログラムに後続して実行する前記他の共通プログラムは、前記共通プログラムから前記サイト情報を引き継いで、該サイト情報に基づいて、実行を制御することを含むことを特徴としている。
【発明の効果】
【００１４】
この発明の構成によれば、リンク元のＷｅｂサイトが識別できるサイト情報を付加し、そのサイト情報を引き継ぎながらＷｅｂページや実行するプログラムを遷移させ、最終的に結果を表示させる際に、引き継がれたサイト情報に基づいて、リンク元のＷｅｂサイトに合わせた個別の提供情報をデータベースから選出して提供することができる。
【発明を実施するための最良の形態】
【００１５】
リンク元のＷｅｂサイトが識別できるパラメータ（サイト情報）を引き継ぎながらＷｅｂページや実行するプログラムを遷移させ、最終結果を表示させる際に、引き継がれたパラメータに基づいて、個別の提供情報をデータベースから選出して提供する目的を、
サイト（Ｗｅｂサイト）Ａ１〜Ａ３が、サイトＡ１〜Ａ３のパラメータを取得する診断サイト（共通Ｗｅｂサイト）とリンクすることによって、サイトＡ１〜Ａ３に対して、診断プログラムＣ（共通プログラム）からの診断結果（結果情報）Ｄ１〜Ｄ３とパラメータとに基づいて、商品データベース（データベース）Ｅを参照して商品情報（提供情報）を取得し、取得した商品情報をサイトＡ１〜Ａ３に対応したページ（個別Ｗｅｂページ）Ｄ１−Ｆ１〜Ｄ３−Ｆ３に設定してサイトＡ１〜Ａ３に送信することによって実現した。
【実施例１】
【００１６】
以下、図面を参照して、この発明の実施例について説明する。
本発明は、インターネット等で利用者に共通して提供される仕組み（例えば、判定や診断を行うロジック・プログラム）において、リンク元の業種や業態等の情報に合わせて、判定や診断等の結果を提供するものである。
図１は、この発明の実施例１における個別Ｗｅｂページ送信システムの全体構成を示すブロック図である。まず、システムの全体構成から説明する。
この例の個別Ｗｅｂページ送信システムは、図１に示されているように、サイト１、サイト２、サイト３は、それぞれ異なるＷｅｂサイトであり、ワークステーション・サーバ等の情報処理装置から構成されている。ロジック・プログラム(共通プログラム)は、インターネット等で提供されるサイト１、サイト２、サイト３の共通した仕組みである。このロジック・プログラムは、Ｗｅｂサイトを識別するためのＩＤ（IDentifier）等のサイト情報を取得し、後続のプログラムがこのサイト情報を引き継いで、各インプットに対応したアウトプットを行う。又、ページ１、ページ２、ページ３は、それぞれ、サイト１、サイト２、サイト３に対応した個別Ｗｅｂページである。
【００１７】
次に、具体的な実施例として、インターネット上で診断を行うＷｅｂサイトの例を示し、その全体構成について、図２を参照して説明する。
サイトＡ１、サイトＡ２、サイトＡ３は、それぞれ異なるＷｅｂサイトである。診断サイト内には、診断項目Ｂ、診断プログラム（共通プログラム）Ｃと、それぞれ異なる診断結果（結果情報）Ｄ１、診断結果Ｄ２、診断結果Ｄ３を有する。又、参照する商品データベース（データベース）Ｅの商品情報（提供情報）のデータは、各Ｗｅｂサイトにより更新が行われる。又、この商品データベースＥの商品情報のデータは、予め、登録されているものとする（登録ステップ）。ページＤ１−Ｆ１、ページＤ１−Ｆ２、ページＤ１−Ｆ３と、ページＤ２−Ｆ１、ページＤ２−Ｆ２、ページＤ２−Ｆ３と、ページＤ３−Ｆ１、ページＤ３−Ｆ２、ページＤ３−Ｆ３は、それぞれサイトＡ１、サイトＡ２、サイトＡ３に対応した個別Ｗｅｂページである。
【００１８】
次に、この実施例１の動作について、図２を参照して詳細に説明する。
まず、それぞれ異なるＷｅｂサイトであるサイトＡ１、サイトＡ２、サイトＡ３から診断サイト（共通Ｗｅｂサイト）にアクセスする。アクセス時にリンク元のＩＤ等のパラメータ（サイト情報）を付加し（サイト情報取得手段、サイト情報取得ステップ）、このパラメータを引き継ぎながら診断項目Ｂに対して解答し、診断プログラム（共通プログラム）Ｃを実行して、診断プログラムＣが出力する診断結果を取得する（結果情報取得手段、結果情報取得ステップ）。又、複数の診断項目Ｂに対して解答する場合に於いても、診断プログラムＣのプログラム間に於いて、このパラメータを引き継ぎながら実行する。
次に、診断結果の提示の際に、診断結果とリンク元の情報であるパラメータとに基づいて、商品データベース（データベース）Ｅを参照し、それぞれのＷｅｂサイトに合った商品を判別し、各Ｗｅｂサイトに対応したＷｅｂページであるページＤ１−Ｆ１〜Ｄ３−Ｆ３に商品を表示する（個別Ｗｅｂページ送信手段、個別Ｗｅｂページ送信ステップ）。
具体例として、サイトＡ１がファッションブランドのＷｅｂサイト、サイトＡ２がインテリアのＷｅｂサイト、診断プログラムＣがカラー（色彩）診断のプログラムである場合、カラー診断のプログラムで決定したその人に似合う色の診断結果がＤ１となったとすると、サイト元であるファッションブランドのＷｅｂサイト、インテリアのＷｅｂサイトという情報を元に、商品データベースＥから判別したその人に似合う色の商品が設定された個別Ｗｅｂページが表示される。例えば、リンク元がサイトＡ１の場合は、ページＤ１−Ｆ１が表示され、リンク元がサイトＡ２の場合は、ページＤ１−Ｆ２が表示される。
つまり、その人に合った服や小物を商品データベースより選び、その商品を紹介するページが表示される。
【００１９】
このように、この実施例の構成によれば、複数のサイトＡ１〜Ａ３（Ｗｅｂサイト）が、サイトＡ１〜Ａ３のパラメータ（サイト情報）を取得する診断サイト（共通Ｗｅｂサイト）とリンクすることによって、サイトＡ１〜Ａ３に対して、診断プログラムＣ（共通プログラム）からの診断結果Ｄ１〜Ｄ３（結果情報）とパラメータとに基づいて、商品データベースＥ（データベース）を参照して商品情報（提供情報）を取得し、取得した商品情報をサイトＡ１〜Ａ３に対応したページＤ１−Ｆ１〜Ｄ３−Ｆ３（個別Ｗｅｂページ）に設定してサイトＡ１〜Ａ３に送信する構成としているので、
商品提供側（サイトＡ１〜Ａ３の運営会社）は、ユーザ毎に、興味を持つ個々に見合った商品や広告等を紹介することができ、より効果的な情報を提供することができる。
又、サイトＡ１〜Ａ３（Ｗｅｂサイト）の利用者側は、診断プログラムＣ（共通プログラム）で運用している診断サイト（共通Ｗｅｂサイト）にアクセスした際に、一般的な情報としての結果を得るだけではなく、興味のある情報等を容易に探すことができる。
【実施例２】
【００２０】
図３は、この発明の実施例２における個別Ｗｅｂページ送信システムの構成を示すブロック図である。以下、特記しない限り、この実施例の構成は、実施例１と同様であるとして、説明する。
この例の個別Ｗｅｂページ送信システムは、図３に示されているように、診断項目ｂ１〜ｂ３が各サイト（サイトａ１〜ａ３）に含まれている点が異なっている。これは、診断に必要な診断項目ｂ１〜ｂ３を各サイト内で入力することにより、共通の診断プログラムｃを用いても、結果は、各サイトに見合ったものを提供することができる。このことにより、結果だけではなく、入力部分もサイト毎に異なるＷｅｂページにすることができる。例えば、ＡＳＰ(Application Service Provider)等に適用する場合に、１００項目の診断項目の中から、サイト毎に合った診断項目を選択して使用することもできる。
【００２１】
以上、この発明の実施例を、図面を参照して詳述してきたが、具体的な構成はこの実施例に限られるものではなく、この発明の要旨を逸脱しない範囲の設計変更等があってもこの発明に含まれる。
例えば、上述の実施例１では、サイトＡ１〜Ａ３に送信する個別の提供情報として、商品データベースＥの商品情報を例に示したが、Ｗｅｂサイト毎に、それぞれ異なる複数種類のデータベースによる提供情報を送信してもよい。
又、上述の実施例１では、サイトＡ１〜Ａ３のサイト情報と診断結果Ｄ１〜Ｄ３の結果情報とに基づいて、商品データベースＥを参照して商品情報を取得した。これらのサイト情報と結果情報に加えて、共通Ｗｅｂサイト側が提供するロジック・プログラム(共通プログラム)の属性情報（ターゲット：提供先、提供内容等の分野）等も追加して、商品データベースＥから商品情報を取得してもよい。
【産業上の利用可能性】
【００２２】
インターネットで判定や診断等のサービスを提供する、ファッション関係、化粧品、自動車、インテリアデザイン関連等のＷｅｂサイト全般に適用することができる。
【図面の簡単な説明】
【００２３】
【図１】この発明の実施例１における個別Ｗｅｂページ送信システムの全体構成を示すブロック図である。
【図２】この発明の実施例１における具体的な個別Ｗｅｂページ送信システムの構成を示すブロック図である。
【図３】この発明の実施例２における具体的な個別Ｗｅｂページ送信システムの構成を示すブロック図である。
【符号の説明】
【００２４】
Ａ１〜Ａ３  サイト（Ｗｅｂサイト）
Ｂ  診断項目
Ｃ  診断プログラム（共通プログラム）
Ｄ１〜Ｄ３  診断結果（結果情報）
Ｅ  商品データベース（データベース）
Ｄ１−Ｆ１〜Ｄ３−Ｆ３  ページ（個別Ｗｅｂページ）
【図１】
2006268798.tif 000003
【図２】
2006268798.tif 000004
【図３】
2006268798.tif 000005